(57)【要約】【課題】  規則的に組むために内部の消波空間が規則的となり、しかも、波の活動によっても崩れない強固な消波堤が構築でき、規則的な組合せが堅牢で安定するために、波の力を打ち消すのに有効な構造を取りやすいことから、良好な漁場環境及び生態系の保全、再生に適した波消しブロックを提供する。【解決手段】  縦横方角に接合して組み合う配列において左右斜め方角の配列が同時に生じている消波堤を構築できるとともに、その左右交差並びの４個の中心に縦穴が生じる組み合わせとなるブロック形状に形成し、消波堤にそれで仕切られる外海と内海の間に縦穴に開口するトンネルが生じるように、そのトンネルとなる横抜穴または横欠部が形成され、前記縦穴に１〜４片で嵌合する差し座を、該ブロックの下端部に１〜４個において突設させた。【選択図】    図１
2005146688.tif 000002
【特許請求の範囲】
【請求項１】
縦横方角に接合して組み合う配列において左右斜め方角の配列が同時に生じている消波堤を構築できるとともに、その左右交差並びの４個の中心に縦穴が生じる組み合わせとなるブロック形状に形成し、消波堤にそれで仕切られる外海と内海の間に縦穴に開口するトンネルが生じるように、そのトンネルとなる横抜穴または横欠部が形成され、前記縦穴に１〜４片で嵌合する差し座を、該ブロックの下端部に１〜４個において突設したことを特徴とする波消しブロック。
【請求項２】
請求項１における前記ブロック形状が、縦横方角に隣接ブロックと接合する側面と、各隅角が取られた角面とからなる外周の八角形であって、一の対角両角面にそれぞれ差し座が、交差方向相手ブロックの差し座とともに縦穴に半々に嵌まるように形成されていることを特徴とする請求項１記載の波消しブロック。
【請求項３】
請求項１におけるブロック形状が、矩形を基本形状として、斜め方角体位を取りながら縦横の配列で交互に組み合い得るよう互いに対称形状に形成される一の形態の波消しブロックと、他の形態の波消しブロックに分けられ、縦横方角の前記接合について、それぞれが、前記基本矩形の一の対角の両角に、他の対角の両角突部が嵌まり得る形状の内角切欠を形成してあり、一の対両側にそれぞれ差し座が、交差方向相手ブロックの差し座とともに縦穴に半々に嵌まるように形成されていることを特徴とする請求項１記載の波消しブロック。
【発明の詳細な説明】
【技術分野】
【０００１】
この発明は、海岸、港湾、河川などにおいて岸近くに消波堤の構築のため配置される波消しブロックに関する。
【背景技術】
【０００２】
海岸、港湾、河川などにおいて、外海から来襲する波浪を遮り、静穏な水面保持を目的として消波堤が設置されるが、反面、これによって、区切られた内側水域の水の交換が阻害され、水質悪化の原因となることが多い。
【０００３】
このような外海との水の流通阻害による水質環境の悪化は、直接生態系への悪影響を及ぼし、特に消波堤構築現場は主に浅海域であり、有用魚介類をはじめとする水産動植物の産卵、着生、幼稚仔生育など水産生物生産の基盤的領域であるため、この環境悪化がもたらす影響は極めて大きいという現状がある。
【０００４】
従って、消波堤は、波浪環境を改善するとともに、水の流通を阻害しない構造が求められ、従来、主に異形ブロックを使用して構築する多孔壁型の消波堤が種々考案されていたが、これらの異形ブロックの配列によって出来る堤体内部隙間は複雑に交錯し、また狭小であるなど、水が停滞しやすい構造であった。
【０００５】
さらに、この堤体内隙間は、太陽光が到達しにくく暗いため、魚介類及び水の浄化機能を有する藻類、微生物などの生育に適していなかった。
【０００６】
日本の漁業生産量は、昭和６０年頃を境に減少傾向に転じており、現在、水産物の消費量の５３％（平成１２年度）を供給するにとどまり、後は輸入に頼るという状況になっている。このような現状に対応するため、水産庁は、平成１４年３月に作成した「水産基本計画」において、「国民に対する水産物の安定供給」、「水産業の健全な発展」を理念とし、平成２４年度における水産物の自給率目標６５％（食用）と、それを達成するための施策推進の指針を示した。それには、「漁港漁場整備長期計画」、「水産動植物の生育環境となる漁場等の積極的な保全・創造」等が含まれる。波消しブロックについては、良好な漁場環境及び生態系の保全（水質改善、藻場の維持・保全、再生）が政策大綱に見られ、また、魚礁の設置、増養殖場の造成、沿岸漁場の保全などの基板整備計画が見られる。これは上記現状から見て妥当な政策と考えられる。
【発明の開示】
【発明が解決しようとする課題】
【０００７】
この発明は、このような実情に鑑みて、規則的に組むために内部の消波空間が規則的となり、しかも、波の活動によっても崩れない強固な消波堤が構築でき、規則的な組合せが堅牢で安定するために、波の力を打ち消すのに有効な構造を取りやすいことから、良好な漁場環境及び生態系の保全、再生に適した波消しブロックを提供することを課題とした。
【課題を解決するための手段】
【０００８】
この発明は、上記の課題を解決するために、縦横方角に接合して組み合う配列において左右斜め方角の配列が同時に生じている消波堤を構築できるとともに、その左右交差並びの４個の中心に縦穴が生じる組み合わせとなるブロック形状に形成し、消波堤にそれで仕切られる外海と内海の間に縦穴に開口するトンネルが生じるように、そのトンネルとなる横抜穴または横欠部が形成され、前記縦穴に１〜４片で嵌合する差し座を、該ブロックの下端部に１〜４個において突設したことを特徴とする波消しブロック構成した。
【０００９】
上記の構成によれば、縦横方角の規則的な配列により消波堤を構築して、左右斜め交差の４個の配列の中心に生じる縦穴に差し座が嵌まるため、その配列の中心規制により配列の安定性が確実に保持される。消波堤では、波や潮を通すトンネルや波の力を上に抜く縦穴等により消波や、内外海の間の海水の交流をなし、さらにはそれらが太陽光線の届く魚礁としての機能を果たす。
【００１０】
特に、ブロック形状を八角形にしたり（請求項２）、角突部が付き合う内角切欠を有する形状にして（請求項３）、縦横にも安定した接合ないし組み構造にすると、安定性がさらに向上する。
【発明の効果】
【００１１】
以上説明したように、この発明は、差し座を突設したことにより、大波の来襲にも耐える強固な消波堤の構築ができる波消しブロックを提供することに成功したもので、この波消しブロックによれば、トンネルとそれが開口する縦穴で、波の力を合理的に強力に打ち消すことができるだけでなく、強烈な波の力に耐える安定性を基盤に消波の機能を構造的に巧みに付加でき、また、魚介類の避難や棲息に適する魚礁としての環境が得られ、また、太陽光の内部への到達に適するので、水の浄化や藻の生育が望めるなど、良好な漁場環境及び生態系の保全、再生に適するという優れた効果がある。
【発明を実施するための最良の形態】
【００１２】
図１ないし図１１は、この発明の一実施の形態を示したもので、その波消しブロックＰは、コンクリートにより八角形の短柱状に形成するとともに、４５度の斜めに横抜穴１を設け、横抜穴１が通る両横に差し座３，３を突設したもので、消波堤Ｔの構築においては、縦横の正十文字の方向に詰まる配列となるようその４方向に側面４，４，４，４を有し、また、この配列によって左右Ｘ文字交差の配列が生じるが、隣接４個において中心に縦穴７が生じるように、各側面４，４の間に角面５，５，５，５を有する正八角形に形成され、一斜めの配列毎に隣接波消しブロックＰ，Ｐがその間の縦穴７に半々ずつ差し座３，３が嵌まっている（図５，図６，図７）。
【００１３】
横抜穴１は、一の相対両角面５，５に開口する斜め方角に形成され、消波堤Ｔの構築において、その方角に連続する並びでトンネル８が生じるので、岸Ｓに向かう波Ｗが突っ込んでくると（図５参照）、トンネル８で斜めに方向が変えられる結果、方向転換により距離が長くなった分に相応して逆比例的に波の力が衰える。また、トンネル８に対して岸Ｓに沿った迎え潮Ｆａであると（図６参照）、抵抗なくトンネル８を通って岸辺の内海に海水が入り込み、逆に、逃げ潮Ｆｂであると（図７参照）、内海から外海に海水が引かれることになる。
【００１４】
したがって、トンネル８内の海水や内海の水が常時入れ代わり、内外海水が浄化され、また、縦穴７から太陽の光が投入するので、トンネル８内でも浄化が促進される。
【００１５】
この横抜穴１は、寸法が縦横に大きく開口して両側面４，４にまでその開口９，９が及んでいるが、中間部に行くにつれて内側の傾斜面により中心で絞るように狭くなっており中間にその狭壁部１１を有する。そのため、波がこの絞り込みの断続によっても弱められる。
【００１６】
差し座３，３は、横抜穴１が開口する側とは違う他の相対両角面５，５に下端面から外側へ突出しており、突出方向に上下で次第に小さくなっているが（図８）、幅が角面５と同一であって、突出寸法がその半分である（図９参照）。そこで、消波堤Ｔの構築においては、斜め隣接する両波消しブロックＰ，Ｐの差し座３，３が縦穴７の下に差し合って共に嵌まることになり、これによって、各波消しブロックＰ，Ｐ，・・の組み合わせが確定し、相互に持ち合って安定する。また、この差し座３の高さは、横抜穴１の開口９の下縁９ａよりも段差が生じるように高くなっている（図４参照）。
【００１７】
横抜穴１，１，・・が連続するトンネル８を見ると、横抜穴１と横抜穴１との間に縦穴７，７，・・を有するので、波が順次縦穴７，７，・・に突入し（図４）、その都度波力が上に抜かれることになる。しかも、前記の如く開口９が拡張する大きい形状であるのに対して、縦穴７の幅が一角面５の狭い幅であるので、突入毎にその幅狭さで抵抗を受け、加えて、差し座３，３が開口９の下縁９ａよりも高いため、上下の狭さによっても抵抗を受ける結果、波当たり抵抗によっても波力が弱まる。
【００１８】
トンネル８および縦穴７は、普段は魚の安全な住処となるが、このように海が荒れたときの消波の機能を果たすことになり、その際には、魚が消波された比較的静かな内海に移動することになる。
【００１９】
図４は、玉石などで盛った基礎１３の上に消波堤Ｔを構築した場合を示したものであるが、その設置基盤の如何に係わらず、図８，図９に示すように、下面に大きく凹部１５を設けてあると、傾かないように正座させやすい。また、上面に狭い窪み１７，１７，・・を設けてあると、そこが魚介類の産卵や幼稚仔の安全な定着場所となる。
【００２０】
消波堤の構築においては、一段配列とは限らなく、数段とすることもある。図１０は、二段に組み合う場合を示したものであるが、下の段の波消しブロックＰａには、上面に凸部１６が形成され、その凸部１６に上の波消しブロックＰの凹部１５を嵌めて安定させることができる。なお、図１１は、同様に二段積みとした場合を示したが、この場合、上の波消しブロック１０は、差し座が無いものを使用したので、この発明のブロックではない。
【００２１】
図１２ないし図１４は、他の実施の形態を示したもので、その波消しブロックＱは、八角形のブロックであるが、一相対両角面５，５からそれぞれ両側面４，４にかけて奥深く横欠部２，２を設け、同両角面５，５の下端部からそれぞれ差し座３，３を突出させてある。
【００２２】
この実施形態の場合であると、図１４に示すように、斜めに順次並ぶ両横欠部２，２，・・毎にトンネル１８が生じるもので、４個のブロックＱ，Ｑ，Ｑ，Ｑに囲まれる中心に生じる縦穴７にトンネル１８が側面で開口しているが、その縦穴７の下端に差し座３，３が半々に嵌まっている。
【００２３】
図１５ないし図１７は、さらに他の実施の形態を示したもので、その波消しブロックＲは、これまでの八角形の実施形態とは違って、形態が対称形に異なる一対の波消しブロックＲａ，Ｒｂを最小の組（単位）となすもので、岸から海に向かって、若しくは海から岸に向かって４５度の方角に向けた体勢（体位）を取って縦横に並べられて消波堤Ｔが構築される。いずれも前記体位を取る矩形の立方体を基本形態として、その両側面の中腹に横へ抜ける前面開口の横欠部２，２を設けてある。
【００２４】
したがって、消波堤Ｔでは横欠部２，２が横に抜ける方向は４５度の斜め方角となる。また、一の対角の両端を欠除することにより、その両方に縦に抜ける外開き口形状の内角切欠１９，１９が設けてあって、一の波消しブロックＲａ（Ｒｂ）の内角切欠１９に他の波消しブロックＲｂ（Ｒａ）の角突部２１が差し合うことによって、消波堤Ｔが構築される。
【００２５】
消波堤Ｔの構築においては、前記第２の実施形態の場合と同じように、連続する横欠部２，２，・・によりトンネル２８が生じ、４個の波消しブロックＲａ，Ｒａ，Ｒｂ，Ｒｂの中心に縦穴７が生じるが、その縦穴７の下端を封じる差し座３，３が、波消しブロックＲａ，Ｒｂの横欠部２，２の開口面とは異なる両側面の下端から突設される。
【００２６】
波消しブロックＲａ，Ｒｂの両形態の違いは、単に一の対角の取り方の違いだけであって、内角切欠１９と角突部２１との付き合う組み合わせがあるため、ブロックどうしがこれで持ち合うことによっても安定する。図１７は２段積みとした場合を示したもので、下の波消しブロックの凸部１６に嵌まる凹部１５を有する上の波消しブロック２０には差し座は設けられていない。
【００２７】
なお、ブロック形状については、斜め交差の間に縦穴７が生じるものであれば、上記に限定されるものではなく、また、トンネル８，１８，２８は必ずしも斜め方角に生じなくとも縦方角に生じるものであっても良い。さらに、差し座３は、４方角に例えば二等辺三角形、台形等の形状に突設して、４個の波消しブロックの差し座３，３，３，３が縦穴７にそれぞれ同時に嵌まるようにすることもできる。
【図面の簡単な説明】
【００２８】
【図１】この発明に係る一実施の形態を示す波消しブロックの斜視図である。
【図２】消波堤を構築する分かりやすい最小組個数で示す同波消しブロックの斜視図である。
【図３】同消波堤の構築状態を示す斜視図である。
【図４】図３のＡ−Ａ線矢視において海底に設置使用状態を示すとともに波進路方向を矢印で図示して説明する使用状態断面図である。
【図５】消波堤の構築状態において波を消す仕組みを説明する平面図である。
【図６】同消波堤の構築状態において潮の流れを内海に取り入れる仕組みを説明する平面図である。
【図７】同消波堤の構築状態において潮の流れを内海から引く仕組みを説明する平面図である。
【図８】他の実施の形態を示す波消しブロックの斜め方角から見た側面図である。
【図９】同波消しブロックの底面図である。
【図１０】他の実施の形態を説明する上下組の波消しブロックを示す斜視図である。
【図１１】上に他の波消しブロックを積んだ状態を示す縦断面図である。
【図１２】他の実施形態による波消しブロックの斜視図である。
【図１３】同波消しブロックの平面図である。
【図１４】同波消しブロックにより構築した消波堤の平面図である。
【図１５】他の実施形態による波消しブロックの斜視図である。
【図１６】同波消しブロックにより構築した消波堤の平面図である。
【図１７】上に他の波消しブロックを積んだ状態を示す斜視図である。
【符号の説明】
【００２９】
Ｐ，Ｐａ，Ｑ，Ｒ，Ｒａ  波消しブロック
Ｔ  消波堤
１  横抜穴
２  横欠部
３  差し座
４  側面
５  角面
７  縦穴
８，１８，２８  トンネル
１９  内角切欠
２１  角突部
【図１】
2005146688.tif 000003
【図２】
2005146688.tif 000004
【図３】
2005146688.tif 000005
【図４】
2005146688.tif 000006
【図５】
2005146688.tif 000007
【図６】
2005146688.tif 000008
【図７】
2005146688.tif 000009
【図８】
2005146688.tif 000010
【図９】
2005146688.tif 000011
【図１０】
2005146688.tif 000012
【図１１】
2005146688.tif 000013
【図１２】
2005146688.tif 000014
【図１３】
2005146688.tif 000015
【図１４】
2005146688.tif 000016
【図１５】
2005146688.tif 000017
【図１６】
2005146688.tif 000018
【図１７】
2005146688.tif 000019